(57)【要約】  本発明に係る紙製品は、基材層と、前記基材層の上に形成された素材層とからなり、一枚の紙として構成されており、前記素材層は前記基材層に対して層間剥離が可能であるように形成されており、上方から見て、前記素材層は前記基材層よりも外側に突出している突出領域を有している。【特許請求の範囲】
【請求項１】
基材層と、前記基材層の上に形成された素材層とからなり、一枚の紙として構成されている紙製品であって、
前記素材層は前記基材層に対して層間剥離が可能であるように形成されており、
上方から見て、前記素材層は前記基材層よりも外側に突出している突出領域を有していることを特徴とする紙製品。
【請求項２】
基材層と、前記基材層の上に形成された素材層とからなり、一枚の紙として構成されている紙製品であって、
前記素材層は前記基材層に対して層間剥離が可能であるように形成されており、
上方から見て、前記素材層は前記基材層よりも外側に突出している突出領域を有しており、
前記素材層には、その厚さ方向の全長にわたって、切り込み線が設けられており、前記切り込み線により画定された閉じた領域が層間剥離により剥離されることを特徴とする紙製品。
【請求項３】
前記切り込み線により画定された領域は、前記突出領域の外縁の少なくとも一部を含むものであることを特徴とする請求項２に記載の紙製品。
【請求項４】
前記切り込み線により画定された領域は前記基材層上に形成されていることを特徴とする請求項２に記載の紙製品。
【請求項５】
前記切り込み線により画定された領域の内側と外側とにわたって貼り付けられている剥離用シールをさらに備えており、前記剥離用シールと前記素材層との間の接着力は、前記基材層と前記素材層との間の接着力よりも大きいことを特徴とする請求項４に記載の紙製品。
【請求項６】
前記切り込み線により画定された領域の内部には、前記基材層と前記素材層とが相互に剥離されている剥離領域が形成されていることを特徴とする請求項２乃至５の何れか一項に記載の紙製品。
【請求項７】
前記紙製品は郵便葉書として構成されていることを特徴とする請求項１乃至６の何れか一項に記載の紙製品。
【請求項８】
対象物を収納する本体と、前記本体に対して開閉可能な蓋とからなる容器であって、
前記容器は、基材層と、前記基材層の上に形成された素材層とからなる一枚の紙でつくられており、
前記素材層は前記基材層に対して層間剥離が可能であるように形成されており、
前記蓋には、前記本体と前記蓋とを接合する接着剤が塗布されており、
前記接着剤が塗布されている領域の周囲には、前記素材層の厚さ方向の全長にわたる切り込み線が設けられており、
前記蓋を前記本体から剥がすときに前記切り込み線により画定された領域が層間剥離により剥離されることを特徴とする容器。
【請求項９】
対象物を収納する本体と、前記本体に対して開閉可能な蓋とからなる容器であって、
前記容器は、基材層と、前記基材層の上に形成された素材層とからなる一枚の紙でつくられており、
前記素材層は前記基材層に対して層間剥離が可能であるように形成されており、
前記蓋には、前記基材層上に、前記本体と前記蓋とを接合する接着剤が塗布されており、
前記蓋には、前記接着剤が塗布されている領域内に、前記基材層の厚さ方向の全長及び前記素材層の厚さ方向の一部にわたる切り込み線が設けられており、
前記蓋を前記本体から剥がすときに前記切り込み線により画定された領域が層間剥離により剥離されることを特徴とする容器。
【請求項１０】
前記容器は封筒を構成するものであることを特徴とする請求項８または９に記載の容器。
【請求項１１】
対象物を収納する本体と、前記本体に対して開閉可能な蓋とからなり、破断可能な材料からなる容器であって、
前記容器は、基材層と、前記基材層の上に形成された素材層とからなる一枚の紙から構成されており、
前記素材層は前記基材層に対して層間剥離が可能であるように形成されており、
前記本体と前記蓋との境界線に隣接し、かつ、前記境界線に沿って切り込み線が形成されており、
前記切り込み線は前記素材層の厚さ方向の全長にわたって設けられていることを特徴とする容器。
【請求項１２】
前記切り込み線は、前記境界線の両側に形成されていることを特徴とする請求項１１に記載の容器。
【請求項１３】
対象物を収納する本体と、前記本体に対して開閉可能な蓋とからなり、破断可能な材料からなる容器であって、
前記容器は、基材層と、前記基材層の上に形成された素材層とからなる一枚の紙から構成されており、
前記素材層は前記基材層に対して層間剥離が可能であるように形成されており、
前記容器を所望のラインに沿って破断させるための一対の相互に平行な破断線と、
前記一対の破断線の各々に隣接し、かつ、前記一対の破断線に沿って、前記一対の破断線の少なくとも一方の外側に形成された一対の切り込み線と、が形成されており、
前記切り込み線は前記素材層の厚さ方向の全長にわたって設けられていることを特徴とする容器。
【発明の詳細な説明】
【技術分野】
【０００１】
本発明は、複数層からなる一枚の紙における最も外側の層を剥離させることが可能な紙製品に関する。
【背景技術】
【０００２】
紙製包装容器の一例として特開平７−２５７５５９に開示されているものがある。【０００３】
この紙製包装容器は、容器本体と蓋とからなり、容器本体と蓋の一部とが接着部において相互に接着され、内部を封止するようになっている。接着部はハーフカット領域内に配置されている。ハーフカット領域とは、紙材層の肉厚のほぼ半分程度の深さまで切り込みを入れた領域である。このハーフカット領域の内部において、紙層間の剥離を惹起させ、開封を行う。また、容器本体にもハーフカット領域が形成されており、このハーフカット領域に対応する蓋の内面に、蓋が紙層間剥離を起こすことを防止するための補強構造が設けられている。【０００４】
すなわち、特開平７−２５７５５９は、紙材層の切り込みを入れた箇所から層間剥離を起こさせるものであり、紙性質の繊維層を起点に剥離させるものである。【０００５】
また、特開２０００−３１８３５７が開示する複葉葉書においては、基材面上に、接着後に再剥離可能な再剥離性接着剤層を形成し、基材と再剥離性接着剤層とを層間剥離させている。
【特許文献１】特開平７−２５７５５９
【特許文献２】特開２０００−３１８３５７
【発明の開示】
【発明が解決しようとする課題】
【０００６】
上記の紙製包装容器及び複葉葉書は、いずれも、紙材層からなる基材面上に接着剤や樹脂フィルムなどによる層を形成する必要があるものであった。【０００７】
このため、接着剤層や樹脂フィルム層の形成に高い加工コストを要し、また、加工工程も長時間かつ複雑なものにならざるを得なかった。【０００８】
さらに、特開平７−２５７５５９のように、紙性質の繊維層を起点に剥離させる場合、層間剥離の範囲が限定され、利用用途が限定されるという欠点があった。【０００９】
本発明はこのような問題点に鑑みてなされたものであり、接着剤層や樹脂フィルム層などの加工コストが高く、加工工程も複雑な層の形成を行うことなく、さらに、範囲が限定されずに層間剥離を行うことが可能な紙製品を提供することを目的とする。
【課題を解決するための手段】
【００１０】
上記の目的を達成するため、本発明は、基材層と、前記基材層の上に形成された素材層とからなり、一枚の紙として構成されている紙製品であって、前記素材層は前記基材層に対して層間剥離が可能であるように形成されており、上方から見て、前記素材層は前記基材層よりも外側に突出している突出領域を有していることを特徴とする紙製品を提供する。【００１１】
本発明は、さらに、基材層と、前記基材層の上に形成された素材層とからなり、一枚の紙として構成されている紙製品であって、前記素材層は前記基材層に対して層間剥離が可能であるように形成されており、上方から見て、前記素材層は前記基材層よりも外側に突出している突出領域を有しており、前記素材層には、その厚さ方向の全長にわたって、切り込み線が設けられており、前記切り込み線により画定された閉じた領域が層間剥離により剥離されることを特徴とする紙製品を提供する。【００１２】
前記切り込み線により画定された領域は、前記突出領域の外縁の少なくとも一部を含むものであることが好ましい。【００１３】
前記切り込み線により画定された領域は前記基材層上に形成されていることが好ましい。【００１４】
本発明に係る紙製品は、前記切り込み線により画定された領域の内側と外側とにわたって貼り付けられている剥離用シールをさらに備えることができ、この場合、前記剥離用シールと前記素材層との間の接着力は、前記基材層と前記素材層との間の接着力よりも大きい。【００１５】
前記切り込み線により画定された領域の内部には、前記基材層と前記素材層とが相互に剥離されている剥離領域が形成されていることが好ましい。【００１６】
例えば、前記紙製品は郵便葉書として構成される。【００１７】
本発明は、さらに、対象物を収納する本体と、前記本体に対して開閉可能な蓋とからなる容器であって、前記容器は、基材層と、前記基材層の上に形成された素材層とからなる一枚の紙でつくられており、前記素材層は前記基材層に対して層間剥離が可能であるように形成されており、前記蓋には、前記本体と前記蓋とを接合する接着剤が塗布されており、前記接着剤が塗布されている領域の周囲には、前記素材層の厚さ方向の全長にわたる切り込み線が設けられており、前記蓋を前記本体から剥がすときに前記切り込み線により画定された領域が層間剥離により剥離されることを特徴とする容器を提供する。【００１８】
本発明は、さらに、対象物を収納する本体と、前記本体に対して開閉可能な蓋とからなる容器であって、前記容器は、基材層と、前記基材層の上に形成された素材層とからなる一枚の紙でつくられており、前記素材層は前記基材層に対して層間剥離が可能であるように形成されており、前記蓋には、前記基材層上に、前記本体と前記蓋とを接合する接着剤が塗布されており、前記蓋には、前記接着剤が塗布されている領域内に、前記基材層の厚さ方向の全長及び前記素材層の厚さ方向の一部にわたる切り込み線が設けられており、前記蓋を前記本体から剥がすときに前記切り込み線により画定された領域が層間剥離により剥離されることを特徴とする容器を提供する。【００１９】
例えば、前記容器は封筒を構成する。【００２０】
本発明は、さらに、対象物を収納する本体と、前記本体に対して開閉可能な蓋とからなり、破断可能な材料からなる容器であって、前記容器は、基材層と、前記基材層の上に形成された素材層とからなる一枚の紙から構成されており、前記素材層は前記基材層に対して層間剥離が可能であるように形成されており、前記本体と前記蓋との境界線に隣接し、かつ、前記境界線に沿って切り込み線が形成されており、前記切り込み線は前記素材層の厚さ方向の全長にわたって設けられていることを特徴とする容器を提供する。【００２１】
前記切り込み線は、前記境界線の両側に形成されていることが好ましい。【００２２】
本発明は、さらに、対象物を収納する本体と、前記本体に対して開閉可能な蓋とからなり、破断可能な材料からなる容器であって、前記容器は、基材層と、前記基材層の上に形成された素材層とからなる一枚の紙から構成されており、前記素材層は前記基材層に対して層間剥離が可能であるように形成されており、前記容器を所望のラインに沿って破断させるための一対の相互に平行な破断線と、前記一対の破断線の各々に隣接し、かつ、前記一対の破断線に沿って、前記一対の破断線の少なくとも一方の外側に形成された一対の切り込み線と、が形成されており、前記切り込み線は前記素材層の厚さ方向の全長にわたって設けられていることを特徴とする容器を提供する。
【発明の効果】
【００２３】
本発明は、製紙された紙材が特性として有している層間の破断剥離を利用し、紙の表層を剥離させるものである。従来は、紙材の基材面上に剥離用接着剤や樹脂フィルムなどによる層を形成する高価な加工を必要としていたが、本発明によれば、そのような加工を行う必要がなくなる。【００２４】
また、紙性質の繊維層を起点に剥離させる従来の方法では、層間剥離の範囲が限定されていたが、本発明によれば、層間剥離の範囲が限定されることはない。本発明によれば、製紙された紙材の表層を任意の範囲で剥離させることができ、このため、紙製品における印刷面を増やすことができる。
【図面の簡単な説明】
【００２５】
【図１】図１（Ａ）は本発明の第一の実施形態に係る紙製品の平面図であり、図１（Ｂ）は図１（Ａ）のＡ−Ａ線における断面図である。
【図２】図２（Ａ）は本発明の第二の実施形態に係る紙製品の平面図であり、図２（Ｂ）は図２（Ａ）のＢ−Ｂ線における断面図である。
【図３】図３（Ａ）は本発明の第三の実施形態に係る紙製品の平面図であり、図３（Ｂ）は図３（Ａ）のＣ−Ｃ線における断面図である。
【図４】図４（Ａ）は本発明の第四の実施形態に係る紙製品の平面図であり、図４（Ｂ）は図４（Ａ）のＤ−Ｄ線における断面図である。
【図５】図５（Ａ）は本発明の第五の実施形態に係る紙製品の平面図であり、図５（Ｂ）は図５（Ａ）のＥ−Ｅ線における断面図である。
【図６】図６（Ａ）は本発明の第六の実施形態に係る紙製品の平面図であり、図６（Ｂ）は図６（Ａ）のＦ−Ｆ線における断面図であり、図６（Ｃ）は図６（Ａ）のＧ−Ｇ線における断面図である。
【図７】図７は本発明の第七の実施形態に係る紙製品の平面図である。
【図８】図８は本発明の第八の実施形態に係る紙製品の平面図である。
【図９】図９（Ａ）は本発明の第九の実施形態に係る紙製品の平面図であり、図９（Ｂ）は図９（Ａ）のＨ−Ｈ線における断面図である。
【図１０】図１０は本発明の第十の実施形態に係る紙製品の斜視図である。
【図１１】図１１は本発明の第十の実施形態の変形例に係る紙製品の斜視図である。
【符号の説明】
【００２６】
１００  第一の実施形態に係る紙製品
１０１  基材層
１０２  素材層
１０３、１０３Ａ  突出領域
２００  第二の実施形態に係る紙製品
２０１  切り込み線
３００  第三の実施形態に係る紙製品
３０１  剥離領域
４００  第四の実施形態に係る紙製品
４０１  剥離領域
４０２  剥離用シール
５００  第五の実施形態に係る紙製品
５０１  切り込み線
５０２  切り込み領域
５１０  切手
６００  第六の実施形態に係る紙製品
６０１  切り込み線
６０２  剥離領域
７００  第七の実施形態に係る紙製品
７０１  本体
７０２  蓋
７０３  糊
７０４  切り込み線
８００  第八の実施形態に係る紙製品
８０１  切り込み線
９００  第九の実施形態に係る紙製品
９０３  糊
９０４  切り込み線
１０００  第十の実施形態に係る紙製品
１００１  本体
１００２  蓋
１００４  粘着テープ
１００５ａ、１００５ｂ  切り込み線
１１００  第十の実施形態の変形例に係る紙製品
１００６ａ、１００６ｂ  破断線
１００７  破断帯
１００８ａ、１００８ｂ  切り込み線
【発明を実施するための最良の形態】
【００２７】
［第一の実施形態］
図１（Ａ）は本発明の第一の実施形態に係る紙製品１００の平面図であり、図１（Ｂ）は図１（Ａ）のＡ−Ａ線における断面図である。【００２８】
本実施形態に係る紙製品１００は、矩形状の基材層１０１と、基材層１０１の上に形成された矩形状の素材層１０２とからなり、全体としては、矩形状の一枚の紙として構成されている。【００２９】
基材層１０１は紙からなる層である。例えば、基材層１０１は上質紙からなる。【００３０】
素材層１０２は、例えば、基材層１０１の表面に薬品を塗布し、その薬品を固化または乾燥することにより、形成される。あるいは、素材層１０２は、他の既存の層を基材層１０１に接合させることにより、形成される。この場合には、素材層１０２は基材層１０１とは異なる素材性質を有しており、紙製品１００は全体として複合紙と呼ばれる。【００３１】
また、素材層１０２は、０．２乃至０．８ミクロンの上薬（薬品）を基材層１０１上に塗布することにより、形成することもできる。このように、上薬を塗ることによりつや出しされた紙製品１００はコーティッド紙を構成し、一般に、アート紙やグロス紙などと称される。【００３２】
あるいは、紙製品１００は、複数の素材層を多層抄きすることにより、構成される。この場合には、紙製品１００は、抄造された板紙あるいは高坪量の厚紙などと称される。【００３３】
素材層１０２は基材層１０１に対して層間剥離が可能である。すなわち、素材層１０２は基材層１０１から剥がすことが可能である。ただし、一旦、素材層１０２を剥がしたあとは、素材層１０２を基材層１０１に再び接合させることはできない。【００３４】
また、図１（Ａ）及び図１（Ｂ）に示すように、上方から見て、素材層１０２は基材層１０１よりも外側に突出している突出領域１０３を有している。【００３５】
突出領域１０３は、基材層１０１の長辺１０１ａに沿って、一定の幅を維持して、長方形状に延びている。【００３６】
本実施形態に係る紙製品１００においては、突出領域１０３を持って、基材層１０１と素材層１０２とが剥がれる方向に引っ張ることにより、素材層１０２を基材層１０１から剥離させることができる。【００３７】
このように、本実施形態に係る紙製品１００によれば、製紙された紙の特性としての層間の破断剥離性を利用し、紙製品１００の表層である素材層１０２を剥離させることができる。このため、従来の紙製品のように、基材層上に剥離用接着剤や樹脂フィルムなどからなる層を形成する必要はなく、高コスト及び長時間を要する加工を省くことができる。【００３８】
また、本実施形態に係る紙製品１００によれば、素材層１０２の表面のみならず、基材層１０１の表面もユーザーの目に触れることになるため、素材層１０２及び基材層１０１の双方の表面を印刷面として利用することができ、印刷を施すことができる領域を増大させることができる。【００３９】
なお、本実施形態において、突出領域１０３の形状は図１（Ａ）及び図１（Ｂ）に示した形状に限定されるものではなく、基材層１０１から外側に突出している限りにおいては、任意の形状をとることができる。
［第二の実施形態］
図２（Ａ）は本発明の第二の実施形態に係る紙製品２００の平面図であり、図２（Ｂ）は図２（Ａ）のＢ−Ｂ線における断面図である。【００４０】
本実施形態に係る紙製品２００は、第一の実施形態に係る紙製品１００と比較して、切り込み線２０１、２０１ｃが設けられている点が異なる。【００４１】
図２（Ａ）に示すように、切り込み線２０１は、突出領域１０３の外縁１０３ａから水平方向に相互に平行に延びる一対の水平切り込み線２０１ａと、一対の水平切り込み線２０１ａの各端部を連結する垂直切り込み線２０１ｂと、から構成されている。図２（Ｂ）に示すように、切り込み線２０１は、素材層１０２の全厚さ（厚さ方向における全長）にわたる切り込みとして形成されている。【００４２】
突出領域１０３の外縁１０３ａと一対の水平切り込み線２０１ａと垂直切り込み線２０１ｂとで囲まれた閉じた領域が切り込み領域２０２を形成しており、この切り込み領域２０２のみにおいて、素材層１０２が基材層１０１から剥離される。【００４３】
さらに、基材層１０１においても、切り込み腺２０１ｃが設けられており、この切り込み腺２０１ｃに沿って、基材層１０１を剥離することにより、突出領域１０３が形成される。ただし、必ずしも、基材層１０１を切り込み腺２０１ｃに沿って破断させる必要はない。【００４４】
本実施形態に係る紙製品２００によれば、素材層１０２を基材層１０１から剥離させる領域を切り込み線２０１により任意に画定することができる。【００４５】
なお、本実施形態において、切り込み線２０１により画定される切り込み領域２０２の位置及び形状は図２（Ａ）及び図２（Ｂ）に示したものに限定されるものではなく、任意の位置及び形状を選択することが可能である。
［第三の実施形態］
図３（Ａ）は本発明の第三の実施形態に係る紙製品３００の平面図であり、図３（Ｂ）は図３（Ａ）のＣ−Ｃ線における断面図である。【００４６】
本実施形態に係る紙製品３００は、第二の実施形態に係る紙製品２００と比較して、矩形状の剥離領域３０１が形成されている点が異なる。【００４７】
剥離領域３０１は、例えば、以下のようにして形成される。【００４８】
例えば、素材層１０２を、薬剤を塗布し、その薬剤を乾燥させることにより、薬剤層として形成する場合、予め定めた領域においては、その薬剤を塗布しない。これにより、その薬剤が乾燥したときに、薬剤が塗布されていない領域が剥離領域３０１として形成される。【００４９】
あるいは、素材層１０２を基材層１０１に対して接合させる際に、予め定めた領域においてのみ、素材層１０２を基材層１０１に対して接合させない。これにより、素材層１０２が基材層１０１に対して接合されていない領域が剥離領域３０１として形成される。【００５０】
図３（Ａ）に示すように、剥離領域３０１は、切り込み領域２０２の内部であって、かつ、基材層１０１の表面上に形成される。【００５１】
剥離領域３０１には、例えば、予め、印刷を施しておくことができる。本実施形態に係る紙製品３００によれば、素材層１０２を切り込み領域２０２において基材層１０１から剥離させたときに、剥離領域３０１に印刷されていた図柄がユーザーの目に入ることになる。このため、剥離領域３０１を宣伝広告用または情報告知用のスペースとして活用することが可能である。【００５２】
なお、本実施形態において、剥離領域３０１の位置及び形状は図３（Ａ）及び図３（Ｂ）に示したものに限定されるものではなく、任意の位置及び形状を選択することが可能である。
［第四の実施形態］
図４（Ａ）は本発明の第四の実施形態に係る紙製品４００の平面図であり、図４（Ｂ）は図４（Ａ）のＤ−Ｄ線における断面図である。【００５３】
本実施形態に係る紙製品４００においては、第三の実施形態に係る紙製品３００と比較して、切り込み線２０１により画定される切り込み領域４０１の位置が変わっている。すなわち、第三の実施形態に係る紙製品３００においては、切り込み領域２０２は突出領域１０３の外縁１０３ａを一辺とするように形成されていたが、本実施形態における切り込み領域４０１は、突出領域１０３の外縁１０３ａからは離れて、その全体が基材層１０１上に位置するように形成されている。【００５４】
さらに、本実施形態に係る紙製品４００は剥離用シール４０２を備えている。【００５５】
剥離用シール４０２は切り込み領域４０１の内側と外側にわたって素材層１０２上に貼り付けられている。剥離用シール４０２と素材層１０２との間の接着力は、基材層１０１と素材層１０２との間の接着力よりも大きく設定されている。このため、剥離用シール４０２を引き剥がすと、切り込み領域４０１は剥離用シール４０２に貼りついたまま、剥離用シール４０２とともに基材層１０１から剥離される。【００５６】
第三の実施形態における剥離領域３０１と同様に、剥離領域４０１には、例えば、予め、印刷を施しておくことができ、剥離領域４０１を宣伝広告用または情報告知用のスペースとして活用することが可能である。【００５７】
なお、本実施形態において、剥離領域４０１の位置及び形状は図４（Ａ）及び図４（Ｂ）に示したものに限定されるものではなく、任意の位置及び形状を選択することが可能である。
［第五の実施形態］
図５（Ａ）は本発明の第五の実施形態に係る紙製品５００の平面図であり、図５（Ｂ）は図５（Ａ）のＥ−Ｅ線における断面図である。【００５８】
第五の実施形態に係る紙製品５００は、図２に示した第二の実施形態に係る紙製品２００の応用例に当たる。【００５９】
本実施形態に係る紙製品５００は郵便葉書として構成されている。【００６０】
本実施形態に係る紙製品５００は、第一の実施形態に係る紙製品１００と同様に、矩形状の基材層１０１と、基材層１０１の上に形成された矩形状の素材層１０２とからなり、全体としては、矩形状の一枚の紙として構成されている。【００６１】
素材層１０２は基材層１０１に対して層間剥離が可能である。すなわち、素材層１０２は基材層１０１から剥がすことが可能である。ただし、一旦、素材層１０２を剥がしたあとは、素材層１０２を基材層１０１に再び接合させることはできない。【００６２】
図５（Ａ）に示すように、素材層１０２には左上のコーナーにおいて三角形状の切り欠き１０２ａが形成されており、この切り欠き１０２ａに対応して、素材層１０２は基材層１０１よりも外側に突出している突出領域１０３Ａを有している。【００６３】
本実施形態に係る紙製品５００には、その左上のコーナーを含むようにＬ字状に切り込み線５０１が設けられており、この切り込み線５０１と紙製品５００の外縁とで囲まれる領域が切り込み領域５０２として画定されている。【００６４】
この切り込み領域５０２は突出領域１０３Ａをその一部として含んでいる。このため、切り込み領域５０２を基材層１０１から剥離させる際には、素材層１０２の突出領域１０３を指でつまんで、切り込み領域５０２を基材層１０１から引き剥がすことができる。【００６５】
図５（Ｂ）に示すように、切り込み線５０１は、素材層１０２の全厚さ（厚さ方向における全長）にわたる切り込みとして形成されている。【００６６】
切手５１０は、切り込み領域５０２の内部において、素材層１０２上に貼られている。【００６７】
本実施形態に係る紙製品５００によれば、葉書としての紙製品５００を受け取った後、切り込み線５０１により画定される切り込み領域５０２を基材層１０１から剥離させることにより、切り込み領域５０２内に貼られている消印済みの切手５１０をも同時に取り出すことができる。このように、本実施形態に係る紙製品５００によれば、極めて容易に消印済みの切手５１０を回収することができる。【００６８】
また、図５（Ａ）に示すように、本実施形態に係る紙製品５００には差出人の欄にも切り込み線５０１と同様の切り込み線５０３を設けることが可能である。差出人の欄には差出人の住所及び氏名が記載されている。このため、切り込み線５０３を設けておくことにより、差出人の欄を基材層１０１から剥離させることができ、差出人の欄をそのまま住所リストに貼り付けることができる。
［第六の実施形態］
図６（Ａ）は本発明の第六の実施形態に係る紙製品６００の平面図であり、図６（Ｂ）は図６（Ａ）のＦ−Ｆ線における断面図であり、図６（Ｃ）は図６（Ａ）のＧ−Ｇ線における断面図である。【００６９】
第六の実施形態に係る紙製品６００は、第五の実施形態に係る紙製品５００と同様に、図２に示した第二の実施形態に係る紙製品２００の応用例に当たる。【００７０】
本実施形態に係る紙製品６００は郵便葉書として構成されている。【００７１】
本実施形態に係る紙製品６００は、第一の実施形態に係る紙製品１００と同様に、矩形状の基材層１０１と、基材層１０１の上に形成された矩形状の素材層１０２とからなり、全体としては、矩形状の一枚の紙として構成されている。【００７２】
素材層１０２は基材層１０１に対して層間剥離が可能である。すなわち、素材層１０２は基材層１０１から剥がすことが可能である。ただし、一旦、素材層１０２を剥がしたあとは、素材層１０２を基材層１０１に再び接合させることはできない。【００７３】
図６（Ｃ）に示すように、基材層１０１には切り込み腺１０２ｂが設けられており、この切り込み腺１０２ｂに沿って、基材層１０１を剥離することにより、突出領域１０３ｂが形成される。すなわち、図６（Ａ）に示すように、切り込み腺１０２ｂに沿って基材層１０１を剥離すると、基材層１０１の左側の外縁には矩形状の切り欠き１０２ｂが形成されることとなり、この切り欠き１０２ｂに対応して、素材層１０２は基材層１０１よりも外側に突出している突出領域１０３ｂが形成されることとなる。【００７４】
ただし、必ずしも、基材層１０１を切り込み腺１０２ｂに沿って破断させる必要はない。【００７５】
本実施形態に係る紙製品６００には、紙製品６００の短辺の方向に相互に平行に延びる一対の切り込み線６０１が設けられており、この一対の切り込み線６０１で囲まれる領域が切り込み領域６０２として画定されている。【００７６】
この切り込み領域６０２は突出領域１０３ｂをその一部として含んでいる。このため、切り込み領域６０２を基材層１０１から剥離させる際には、素材層１０２の突出領域１０３ｂを指でつまんで、切り込み領域６０２を基材層１０１から引き剥がすことができる。【００７７】
切り込み線６０１は、第五の実施形態における切り込み線５０１と同様に、素材層１０２の全厚さ（厚さ方向における全長）にわたる切り込みとして形成されている。【００７８】
例えば、切り込み領域６０２の範囲内において、基材層１０１には印刷を施しておくことができる。このため、葉書としての紙製品６００を受け取った後、切り込み線６０１により画定される切り込み領域６０２を基材層１０１から剥離させることにより、基材層１０１が施された印刷が表出する。このため、切り込み領域６０２に対応する基材層１０１の領域を宣伝広告用または情報告知用のスペースとして活用することが可能である。
［第七の実施形態］
図７は本発明の第七の実施形態に係る紙製品７００の平面図である。【００７９】
本実施形態に係る紙製品７００は、図５に示した第五の実施形態に係る紙製品５００の応用例に当たる。【００８０】
本実施形態に係る紙製品７００は封筒として形成されている。【００８１】
本実施形態に係る紙製品７００は、前述の第一乃至第六の実施形態に係る紙製品１００−６００と同様に、基材層１０１と、基材層１０１の上に形成された矩形状の素材層１０２とからなる紙素材で構成されており、素材層１０２は基材層１０１に対して層間剥離が可能である。【００８２】
封筒としての紙製品７００は、手紙を入れる本体７０１と、本体に対して開閉自在の蓋７０２と、から構成されている。【００８３】
蓋７０２の裏面には接着剤としての糊７０３が矩形状の領域に塗布されており、蓋７０２を本体７０１に向かって折り曲げ、蓋７０２を本体７０１に重ね合わせることにより、糊７０３を介して蓋７０２が本体７０１に対して接着された状態となる。すなわち、封筒は封をされた状態になる。【００８４】
本実施形態に係る紙製品７００においては、糊７０３が塗布されている矩形状の領域の周囲に、第五の実施形態における切り込み線５０１と同様の切り込み線７０４が設けられている。【００８５】
本実施形態に係る紙製品７００は以下のように使用される。【００８６】
封筒としての紙製品７００を受け取った状態においては、蓋７０２は糊７０３を介して本体７０１に対して接着されている。【００８７】
従前の封筒では、蓋７０２を任意の箇所で破くことにより、開封が行われていた。このため、封筒が汚く破れたり、あるいは、破断が他の箇所にも波及して思わぬ箇所も破けてしまうということがあった。【００８８】
これに対して、本実施形態に係る紙製品７００においては、糊７０３の周囲に切り込み線７０４が設けられているため、本体７０１に対して糊付けされている蓋７０２を本体７０１から引っ張ることにより、蓋７０２における素材層１０２が切り込み線７０４に沿って破断し、切り込み線７０４に囲まれている領域は糊７０３に貼りついたまま、本体７０１側に残ることとなる。【００８９】
このように、本実施形態に係る紙製品７００によれば、蓋７０２を汚く破ることなく、開封することが可能である。さらに、開封時の破断が切り込み線７０４を越えて他の領域に破断することがないため、見た目よく開封することができる。【００９０】
さらには、一旦開封すると、糊７０３には切り込み線７０４に囲まれた蓋７０２側の素材層１０２が貼りついているので、蓋７０２を本体７０１に対して再び接着させることは不可能となる。従って、正当な受取人以外の者が開封したことをただちに知ることができる。
［第八の実施形態］
図８は本発明の第八の実施形態に係る紙製品８００の平面図である。【００９１】
本実施形態に係る紙製品８００は第七の実施形態に係る紙製品７００の変形例である。【００９２】
本実施形態に係る紙製品８００は、切り込み線が設けられている位置について、第七の実施形態に係る紙製品７００と異なる。【００９３】
第七の実施形態に係る紙製品７００においては、切り込み線７０４は糊７０３の周囲に設けられていたが、本実施形態に係る紙製品８００においては、切り込み線７０４に代えて、本体７０１に切り込み線８０１が設けられている。【００９４】
切り込み線８０１は、糊７０３を介して蓋７０２を本体７０１に貼り付けたときに、糊７０３の周囲に位置するように、設けられている。【００９５】
本実施形態に係る紙製品８００においては、切り込み線８０１は本体７０１に設けられているため、本体７０１に対して糊付けされている蓋７０２を本体７０１から引っ張った場合、本体７０１における素材層１０２が切り込み線８０１に沿って破断し、切り込み線８０１に囲まれている領域は糊７０３に貼りついたまま、蓋７０２側に残る。【００９６】
本実施形態に係る紙製品８００によっても、第七の実施形態に係る紙製品７００と同様の効果を得ることができる。
［第九の実施形態］
図９（Ａ）本発明の第九の実施形態に係る紙製品９００の平面図であり、図９（Ｂ）は図９（Ａ）のＨ−Ｈ線における断面図である。【００９７】
本実施形態に係る紙製品９００は第七の実施形態に係る紙製品７００の変形例である。【００９８】
本実施形態に係る紙製品９００においては、蓋７０２の裏面の基材層１０１上の一定領域に糊９０３が塗布されており、さらに、糊９０３が塗布されている領域内に二つの円形の切り込み腺９０４が並列に設けられている。【００９９】
本実施形態における切り込み腺９０４は、第五の実施形態における切り込み線５０１とは異なり、基材層１０１を貫通し、さらに、素材層１０２の厚みのほぼ半分に達している。【０１００】
本実施形態に係る紙製品９００の使用時には、糊９０３を介して、蓋７０２と本体７０１とを貼り合わせる。紙製品９００を一旦開封すると、すなわち、蓋７０２を本体７０１から剥がすと、素材層１０２の切り込み腺９０４が達していない領域において、素材層１０２が破断する。このため、切り込み線９０４に囲まれている領域は、糊９０３に貼りついたまま、本体７０１側に残ることとなる。【０１０１】
このため、本実施形態に係る紙製品９００を一旦開封したことが容易に判明し、正当な受取人以外の者が開封した場合であっても、ただちにそれを知ることができる。【０１０２】
なお、切り込み線９０４の形状、数及び配列は本実施形態における形状、数及び配列に限定されるものではなく、任意に設定することができる。例えば、切り込み線９０４の形状は閉じた領域を画定するものであればいかなる形状をも選択することができる。例えば、円形以外に、矩形状、楕円形、星型などを選択することができる。また、切り込み線９０４の数も２個に限定されるものではなく、１個または３個以上の数を選択することができる。切り込み線９０４を複数個つくる場合の配列も、図９に示した直線状の配列に限定されるものではなく、マトリクス状その他種々の配列を選択することができる。【０１０３】
また、切り込み線９０４は、連続した線のみならず、破断線として形成することも可能である。
［第十の実施形態］
上述の第七乃至第九の実施形態は応用例として封筒を例示したが、応用例は封筒には限定されない。第七乃至第九の実施形態は通常の箱や容器にも応用が可能である。すなわち、対象物を収納可能な本体とその本体に対して開閉可能な蓋とを有する構造の容器であれば、第七乃至第九の実施形態はいかなる容器に対しても応用することができる。【０１０４】
一例として、第六の実施形態を箱に応用した例を第十の実施形態として以下に説明する。【０１０５】
図１０は、本発明の第十の実施形態に係る紙製品の斜視図である。【０１０６】
本実施形態に係る紙製品は段ボール箱１０００として形成されている。段ボール箱１０００は、対象物を収容可能な本体１００１と、本体１００１に対して開閉可能な蓋１００２とから構成されており、本体１００１と蓋１００２とは境界線１００３において相互に接している。【０１０７】
使用時においては、本体１００１と蓋１００２とは相互に開かないように、境界線１００３に沿って、本体１００１及び蓋１００２の双方にわたって、粘着テープ１００４が貼り付けられている。【０１０８】
粘着テープ１００４の両外側には、粘着テープ１００４と所定の距離をおいて、粘着テープ１００４とほぼ平行に切り込み線１００５ａ、１００５ｂ（第六の実施形態における切り込み線６０１に対応するもの）が設けられている。【０１０９】
本体１００１と蓋１００２とを開く場合には、粘着テープ１００４が本体１００１及び蓋１００２の双方から剥がされる。切り込み線１００５ａ、１００５ｂが設けられていない従来の段ボール箱においては、粘着テープ１００４に段ボール箱の表層が付着することにより、粘着テープ１００４を剥がすにつれて、段ボール箱の表層が同時に破れてしまい、意図しない範囲まで表層の破れが拡大することがあった。例えば、本体１００１それ自体を使用する目的で本体１００１に何らかの模様の印刷が施されているような場合、段ボール箱の表層の破れが拡大すると、その模様の印刷までもが破れてしまい、本体１００１の使用価値を損ねることがあった。【０１１０】
これに対して、本実施形態における段ボール箱１０００においては、粘着テープ１００４の両外側に切り込み線１００５ａ、１００５ｂが設けられているため、粘着テープ１００４の剥離に伴って、表層（第六の実施形態における素材層１０２に対応するもの）に破断が生じても、その破断は切り込み線１００５ａ、１００５ｂにおいて止まり、切り込み線１００５ａ、１００５ｂを越えて拡大することはない。このため、本体１００１に施された印刷模様が損なわれることもなく、本体１００１の使用に支障を生じることがなくなる。【０１１１】
なお、本実施形態においては、二つの切り込み線１００５ａ、１００５ｂを設けたが、二つの切り込み線１００５ａ、１００５ｂを設けることは必ずしも必要ではなく、必要に応じて、いずれか一方の切り込み線１００５ａまたは１００５ｂのみを設けることも可能である。【０１１２】
また、本実施形態においては、本体１００１と蓋１００２とは境界線１００３において既に分離しているものとして構成したが、本体１００１と蓋１００２とは接合されており、境界線１００３において破断することにより、本体１００１と蓋１００２とを分離するような構成であってもよい。【０１１３】
図１１は、第十の実施形態に係る紙製品としての段ボール箱１０００の変形例を示す斜視である。【０１１４】
本変形例に係る段ボール箱１１００は、段ボール箱１０００と同様に、本体１００１と蓋１００２とから構成されている。【０１１５】
本体１００１と蓋１００２との間には、相互に平行に延びる一対の破断線１００６ａ、１００６ｂが形成されており、この一対の破断線１００６ａ、１００６ｂに沿って、段ボール箱１１００を構成する紙素材（第六の実施形態における基材層１０１及び素材層１０２に対応するもの）を破断することにより、本体１００１と蓋１００２とが分離される。【０１１６】
一対の破断線１００６ａ、１００６ｂの内部の領域として画定される破断帯１００７の端部には把っ手１００７ａが形成されており、ユーザーはこの把っ手１００７ａを持って、破断帯１００７を引っ張ることにより、一対の破断線１００６ａ、１００６ｂに沿って、段ボール箱１１００を構成する紙素材を破断させることができる。【０１１７】
このように、破断帯１００７を使って、本体１００１と蓋１００２とを分離する場合にも、一対の破断線１００６ａ、１００６ｂから派生した破断が拡大することがある。【０１１８】
このため、本変形例に係る段ボール箱１１００には、一対の破断線１００６ａ、１００６ｂの外側に一対の破断線１００６ａ、１００６ｂに平行に一対の切り込み線１００８ａ、１００８ｂが設けられている。【０１１９】
このため、破断帯１００７による段ボール箱１１００を構成する紙素材の破断に伴って、段ボール箱１１００の表層（第六の実施形態における素材層１０２に対応するもの）に破断が生じても、その破断は切り込み線１００８ａ、１００８ｂにおいて止まり、切り込み線１００８ａ、１００８ｂを越えて拡大することはない。このため、本体１００１に施された印刷模様が損なわれることもなく、本体１００１の使用に支障を生じることがなくなる。【０１２０】
なお、本変形例においては、二つの切り込み線１００８ａ、１００８ｂを設けたが、二つの切り込み線１００８ａ、１００８ｂを設けることは必ずしも必要ではなく、必要に応じて、いずれか一方の切り込み線１００８ａまたは１００８ｂのみを設けることも可能である。【０１２１】
なお、本実施形態においては段ボール箱１０００を例示したが、本実施形態を上述の実施形態と同様に封筒に応用することも可能である。
【産業上の利用可能性】
【０１２２】
本発明に係る紙の表層を剥離させる紙製品は、実施形態に例示した郵便葉書や封筒の他に、ＤＭカタログのナンバリング、紙製容器の製品番号シール、封筒の切手回収用の剥離シールとして利用することができる。【０１２３】
また、素材層が基材層に対して接合されていない領域（実施形態における剥離領域３０１）を設け、製紙時にその領域に印刷を施すことにより、その領域が表出したときに、その印刷をユーザーに対して表示することができる。すなわち、その領域を宣伝広告用または情報告知用のスペースとして活用することが可能である。このように、例えば、葉書に本発明を適用することにより、広告ツールとしてのＤＭや販促商品として活用することができる。【０１２４】
なお、本発明は紙製品の一面のみならず、両面に対して適用することも可能である。
【図１】
2006001311.tif 000002
【図２】
2006001311.tif 000003
【図３】
2006001311.tif 000004
【図４】
2006001311.tif 000005
【図５】
2006001311.tif 000006
【図６】
2006001311.tif 000007
【図７】
2006001311.tif 000008
【図８】
2006001311.tif 000009
【図９】
2006001311.tif 000010
【図１０】
2006001311.tif 000011
【図１１】
2006001311.tif 000012
【国際調査報告】
2006001311.tif 000013
2006001311.tif 000014
2006001311.tif 000015
2006001311.tif 000016
2006001311.tif 000017
2006001311.tif 000018
2006001311.tif 000019